(57)【要約】【課題】扉を開けやすくする効果的なアシスト機構を備えた開閉装置を提供する。【解決手段】扉枠２と扉３とを備え、扉の一辺部または一辺部近傍がヒンジを介して扉枠の一辺部または一辺部近傍に取付けられて扉が片開き可能に構成され、扉の一辺部と対向する他辺部には、扉枠の他辺部に形成された係合部に係合して扉を閉鎖状態に維持するとともに係合部への係合が解除されることにより扉を開放できるようにするラッチボルト２２と、ラッチボルトの係合部に対する係合及び解除による扉の開閉を操作するための操作部３１とを備えた開閉装置において、扉枠の他辺部の内側に設けられた固定磁石４１と、扉の他辺部の内側に設けられた可動磁石４２とを備え、可動磁石４２は、操作部３１の扉開閉操作に連動して移動可能に設けられ、扉３を開くことのできる状態において固定磁石４１と反発し合う位置に移動するように設けられた。【選択図】図３
2012021296.tif 000002
【特許請求の範囲】
【請求項１】
扉枠と扉とを備え、前記扉の一辺部または一辺部近傍がヒンジを介して前記扉枠の一辺部または一辺部近傍に取付けられて前記扉が片開き可能に構成され、前記扉の一辺部と対向する他辺部には、前記扉枠の他辺部に形成された係合部に係合して前記扉を閉鎖状態に維持するとともに前記係合部への係合が解除されることにより前記扉を開放できるようにするラッチボルトと、前記ラッチボルトの前記係合部に対する係合及び解除による前記扉の開閉を操作するための操作部とを備えた開閉装置において、
前記扉枠の他辺部の内側に設けられた固定磁石と、前記扉の他辺部の内側に設けられた可動磁石とを備え、
前記可動磁石は、前記操作部の扉開閉操作に連動して移動可能に設けられ、前記扉を開くことのできる状態において前記固定磁石と反発し合う位置に移動するように設けられたことを特徴とする開閉装置。
【請求項２】
扉枠と扉とを備え、前記扉の一辺部または一辺部近傍がヒンジを介して前記扉枠の一辺部または一辺部近傍に取付けられて前記扉が片開き可能に構成され、前記扉の一辺部と対向する他辺部には、前記扉枠の他辺部に形成された係合部に係合して前記扉を閉鎖状態に維持するとともに前記係合部への係合が解除されることにより前記扉を開放できるようにするラッチボルトと、前記ラッチボルトの前記係合部に対する係合及び解除による前記扉の開閉を操作するための操作部とを備えた開閉装置において、
前記扉枠の他辺部の内側に設けられた固定磁石と、前記扉の他辺部の内側に設けられた可動磁石とを備え、
前記可動磁石は、前記操作部の扉開閉操作に連動して移動可能に設けられ、前記扉が閉鎖状態の場合には前記固定磁石と吸引し合う位置に移動し、前記扉を開くことのできる状態においては前記固定磁石と反発し合う位置に移動するように設けられたことを特徴とする開閉装置。
【発明の詳細な説明】
【技術分野】
【０００１】
本発明は、扉を開けやすくするアシスト機構を備えた開閉装置に関する。
【背景技術】
【０００２】
従来、扉を閉じた状態にドアノブのような操作部が設定されている場合（即ち操作部を操作していない場合）には閉塞し、扉を開くことが可能な状態に操作部を操作した場合には開通する貫通孔を有した扉を備えた構成の開閉装置が知られている。
【先行技術文献】
【特許文献】
【０００３】
【特許文献１】特開平１１−１６６７５３号公報
【発明の概要】
【発明が解決しようとする課題】
【０００４】
上述した従来の開閉装置によれば、扉で仕切られた２つの空間を開通した貫通孔を介して空気が流通することで、２つの空間の圧力差を解消するというものであるが、貫通孔を形成しても２つの空間の圧力差がすぐに解消するものではなく、扉がすぐに開きやすくならない。また、貫通孔を備えるので、気密性能、防音性能が損なわれる。また、圧力差以外の原因、例えば、扉自体の重量が重い等によって扉を開きにくいような開閉装置もある。
本発明は、扉を開けやすくする効果的なアシスト機構を備えた開閉装置を提供する。
【課題を解決するための手段】
【０００５】
本発明に係る開閉装置は、扉枠と扉とを備え、前記扉の一辺部または一辺部近傍がヒンジを介して前記扉枠の一辺部または一辺部近傍に取付けられて前記扉が片開き可能に構成され、前記扉の一辺部と対向する他辺部には、前記扉枠の他辺部に形成された係合部に係合して前記扉を閉鎖状態に維持するとともに前記係合部への係合が解除されることにより前記扉を開放できるようにするラッチボルトと、前記ラッチボルトの前記係合部に対する係合及び解除による前記扉の開閉を操作するための操作部とを備えた開閉装置において、前記扉枠の他辺部の内側に設けられた固定磁石と、前記扉の他辺部の内側に設けられた可動磁石とを備え、前記可動磁石は、前記操作部の扉開閉操作に連動して移動可能に設けられ、前記扉を開くことのできる状態において前記固定磁石と反発し合う位置に移動するように設けられたことを特徴とする。
また、本発明に係る開閉装置は、扉枠と扉とを備え、前記扉の一辺部または一辺部近傍がヒンジを介して前記扉枠の一辺部または一辺部近傍に取付けられて前記扉が片開き可能に構成され、前記扉の一辺部と対向する他辺部には、前記扉枠の他辺部に形成された係合部に係合して前記扉を閉鎖状態に維持するとともに前記係合部への係合が解除されることにより前記扉を開放できるようにするラッチボルトと、前記ラッチボルトの前記係合部に対する係合及び解除による前記扉の開閉を操作するための操作部とを備えた開閉装置において、前記扉枠の他辺部の内側に設けられた固定磁石と、前記扉の他辺部の内側に設けられた可動磁石とを備え、前記可動磁石は、前記操作部の扉開閉操作に連動して移動可能に設けられ、前記扉が閉鎖状態の場合には前記固定磁石と吸引し合う位置に移動し、前記扉を開くことのできる状態においては前記固定磁石と反発し合う位置に移動するように設けられたことを特徴とする。
【発明の効果】
【０００６】
本発明に係る開閉装置によれば、扉を開くことのできる状態において可動磁石と固定磁石とが互いに対向して反発し合うので、可動磁石と固定磁石との間に生じる磁力による反発力によって扉が開きやすくなる。
また、本発明に係る開閉装置によれば、扉が閉鎖状態の場合には可動磁石と固定磁石とが吸引し合うので、可動磁石と固定磁石との間に生じる磁力による吸引力によって扉閉時の気密性及び防音性が向上するとともに、扉を開くことのできる状態において可動磁石と固定磁石とが互いに対向して反発し合うので、可動磁石と固定磁石との間に生じる磁力による反発力によって扉が開きやすくなる。
【図面の簡単な説明】
【０００７】
【図１】開閉装置の正面図（実施形態１）。
【図２】開閉装置の斜視図（実施形態１）。
【図３】開閉装置の断面図（実施形態１）。
【図４】開閉装置の分解斜視図（実施形態１）。
【図５】開閉装置の開閉動作を示す斜視図（実施形態１）。
【図６】開閉装置の開閉動作の動作原理を示す図（実施形態１）。
【図７】開閉装置の正面図（実施形態３）。
【図８】開閉装置の斜視図（実施形態３）。
【発明を実施するための形態】
【０００８】
実施形態１
図１；図２に示すように、開閉装置１は、扉枠２と扉３と扉開時アシスト機構４とを備える。
【０００９】
扉枠２は、枠部５と、戸当たり部７とを備える。
枠部５は、例えば、上枠体５ａ、下枠体５ｂ、左枠体５ｃ、右枠体５ｄとにより構成され、これら枠体により囲まれた長方形状の開口を備えた長方形状の中空の四方枠により構成される。
戸当たり部７は、例えば、枠部５の内周面６に沿って枠部５の内周面６から枠部５の枠中心（枠部５の開口の中心）方向に突出する長方形の中空の環状体により形成される。
戸当たり部７の内周面で囲まれた長方形状の開口が開閉装置１の出入口９を構成する。戸当たり部７は、枠部５と一体に形成されたり、枠部５の内周面６に溶接や固定具等の取付手段によって取付けられる。
【００１０】
扉３は、例えば、枠部５の内側の長方形状の開口の寸法よりも小さくかつ戸当たり部７の内周面で囲まれた長方形状の開口の寸法よりも大きい寸法に形成された長方形の扉面を構成する扉外面板１１及び扉内面板１２と、所定間隔を隔てて平行に対向した扉外面板１１及び扉内面板１２の上辺縁同士を繋ぐ上端面板１３と、扉外面板１１及び扉内面板１２の左辺縁同士を繋ぐ左端面板１４と、扉外面板１１及び扉内面板１２の右辺縁同士を繋ぐ右端面板１５と、扉外面板１１及び扉内面板１２の下辺縁同士を繋ぐ下端面板１６と、により形成された扉である。
即ち、扉３は、枠部５の内側の長方形状の開口に対応する扉外面板１１及び扉内面板１２による長方形状の扉面を有し、扉外面板１１と扉内面板１２との対向間隔に対応する扉厚ａを有した中空の長方形箱体状に構成された扉である（後述の各機構に干渉しない様に中空部に芯材が入っていても良い）。
【００１１】
扉外面板１１又は扉内面板１２において左右のいずれか一方の辺縁部と左枠体５ｃ又は右枠体５ｄの一方とがヒンジ２１を介して連結されていることにより、扉３が扉枠２の枠部５に片開き可能に取付けられる。
扉３においてヒンジ２１を介して枠部５に連結されていない側の端面板における上下の中央位置には、ラッチボルト２２が当該端面板よりも突出するように設けられる。
例えば、図１；図２に示すように、扉３の扉外面板１１の右辺縁部と右枠体５ｄとがヒンジ２１を介して連結されていることにより、扉３が扉枠２の枠部５に片開き可能に取付けられ、そして、ヒンジ２１を介して枠部５に連結されていない側の端面板である左端面板１４における上下の中央位置には、ラッチボルト２２が当該左端面板１４よりも突出するように設けられる。
【００１２】
図３は図１のＡ−Ａ断面に相当する断面図である。図３に示すように、２３は空締まり機構である。空締まり機構２３は、ラッチボルト２２と図外のラッチボルト動作機構と当該ラッチボルト動作機構を収納するケース２４とにより構成される。ラッチボルト２２は、ケース２４の一端面に形成された貫通孔２４ａ（図５（ｂ）参照）を介してケース２４外に突出する状態及びケース２４内に入り込む状態となるように設けられる。ケース２４の一端面には、貫通孔２４ａを取り囲むように設けられて左端面板１４に取付けられる取付ブラケット２５を有する。左端面板１４には、ケース２４を扉３の内側に挿入するための開口部２６が形成される。従って、ケース２４を他端面側から開口部２６を介して扉３の内側に挿入し、開口部２６を覆うように位置決めされた取付ブラケット２５を止ねじ２７等の固定具で左端面板１４に取付けることによって、空締まり機構２３が扉３の左端面板１４に取付けられ、ラッチボルト２２が左端面板１４よりも突出するように設けられる。
【００１３】
ラッチボルト２２は、左枠体５ｃの内面５ｕに設けられた係合孔や係合溝により形成された係合部２８に係合する部材である。即ち、ラッチボルト２２は、扉３の閉鎖時に図外のスプリングのような弾性手段の付勢力によって係合部２８に係合して扉３が風等で開かぬように阻止する空締まりを行うとともに、後述するドア開閉操作機構３０の開放操作によってケース２４の内側（扉３の内側（中空内部空間））に引き込まれて係合部２８より外れることによって、扉３を開けることができるようにする部材である。
【００１４】
ドア開閉操作機構３０は、所謂、ドアノブ、レバーハンドル等と呼ばれる操作部３１と、操作部３１の操作によってラッチボルト２２を左端面板１４よりも突出させたり、扉３の内側に引き込ませたりする開閉機構部とを備える。
当該開閉機構部は、操作部３１の操作によって回転する回転中心軸３３と、上述した図外のスプリングのような弾性手段と、上述した図外のラッチボルト動作機構とにより構成される。当該ラッチボルト動作機構は、回転中心軸３３の回転角度に応じて、ラッチボルト２２が上記スプリングにより付勢されるように設定したり、ラッチボルト２２が上記スプリングに抗して扉３の内側に引き込まれるように設定する機構である。
【００１５】
扉３が閉鎖されてラッチボルト２２が係合部２８に係合した場合、扉内面板１２の周縁部と戸当たり部７の戸当たり面８とが近接状態に対向して、扉３が開閉装置１の出入口９を閉鎖する閉状態に設定される。また、操作部３１の開放操作によってラッチボルト２２が扉３の内側に引き込まれて係合部２８より外れた状態で扉３を押したり引いたりすることで、扉３が出入口９を開放する開状態に設定される。
【００１６】
尚、図１；図２に示すように、３５は開いた扉３が閉じられるまでの速度を調整するドアクローザーである。また、図３に示すように、防音性及び気密性を向上させるために、戸当たり面８には、戸当たり部７の内周面で囲まれた開口を囲むようにエアタイトゴム３６が設けられる。これにより、扉３が閉じた場合に、扉内面板１２の周縁部とエアタイトゴム３６とが接触して防音性及び気密性が向上する。
【００１７】
扉開時アシスト機構４は、扉３を開ける際に必要な力を少なくできるようにした機構である。
図１乃至図５に示すように、扉開時アシスト機構４は、固定磁石４１と可動磁石４２と可動磁石４２を移動させる磁石移動支持機構４３とを備える。尚、図４；図５においては、扉開時アシスト機構４をわかりやすく図示するため、扉枠２；扉３を想像線で図示している。
固定磁石４１は、枠部５における左枠体５ｃの内面５ｕより突出する戸当たり部７の内部において上下の中央位置側に上下方向に延長するように固定状態に設けられる。
可動磁石４２は、扉３の内部において左端面板１４側の上下の中央位置側に上下方向に延長するように上下方向に移動可能に設けられる。
磁石移動支持機構４３は、可動磁石４２をドア開閉操作機構３０の動きに連動して可動磁石４２を上下方向に移動可能に支持する機構である。
【００１８】
固定磁石４１及び可動磁石４２としては、同じ構成のもの、例えば、Ｓ極とＮ極とが複数個づつ長手方向に交互に並ぶように形成された例えば断面矩形状の棒状磁石が用いられる。そして、棒状の固定磁石４１の長手方向が扉３の上下方向と一致するように固定磁石４１が戸当たり部７の内側に固定される。また、棒状の可動磁石４２の長手方向が扉３の上下方向と一致するように可動磁石４２が扉３の内側において上下方向に移動可能に取付けられる。
【００１９】
磁石移動支持機構４３は、例えば、操作部３１の操作による回転中心軸３３の回転に連動するピニオン４４と、可動磁石４２に設けられてピニオン４４の歯と噛み合う歯を備えたラック４５と、可動磁石４２の移動をガイドする移動ガイド４６とにより構成される。
移動ガイド４６は、例えば、溝レール部４６ａと、溝レール部４６ａに係合して上下方向に移動可能に構成された係合部材４６ｂとにより構成される。例えば、係合部材４６ｂは、ラック４５に設けられる。
【００２０】
例えば、図３に示すように、固定磁石４１が左枠体５ｃの内面５ｕより突出する戸当たり部７の戸当たり面８に沿って延長するように戸当たり面８の内面に固定され、可動磁石４２が扉内面板１２の左側縁に沿って延長するように扉３の内部に設けられたことによって、固定磁石４１と可動磁石４２とが、扉内面板１２の左側縁部、エアタイトゴム３６、左枠体５ｃの内面５ｕより突出する戸当たり面８を介して平行に対向するように設けられる。
【００２１】
そして、溝レール部４６ａが上下方向に延長するように左端面板１４に止ねじ４６ｃ等で固定され、溝レール部４６ａと係合部材４６ｂとが係合され、かつ、ピニオン４４の歯とラック４５の歯とが噛み合わされるように組み付けられる。
【００２２】
例えば、図３；図４に示すように、操作部３１及び回転中心軸３３を扉３に回転可能に取付ける軸受機構は丸座４７；４７により構成される。扉外面板１１及び扉内面板１２においてラッチボルト２２の近傍には、それぞれ回転軸挿入孔４８；４８が互いに対向するように形成されており、そして、丸座４７の軸受孔４９と回転軸挿入孔４８とを一致させた状態で丸座４７が扉外面板１１及び扉内面板１２のそれぞれに止ねじ５０等で取付けられる。そして、回転中心軸３３を、一方の丸座４７の軸受孔４９、一方の回転軸挿入孔４８、ピニオン４４の回転中心孔５１、ケース２４を貫通する貫通孔５２、他方の回転軸挿入孔４８、他方の丸座４７の軸受孔４９に通す。そして、回転中心軸３３の両端にそれぞれ操作部３１が取付けられる。例えば、操作部３１としてのレバーハンドルは、回転中心軸結合部５４と、把持部５５とを備える。
尚、回転中心軸３３の回転力をピニオン４４に効率的に伝達するために、回転中心軸３３は断面角形の棒材が用いられ、ピニオン４４の回転中心孔５１はこの断面角形の回転中心軸３３を嵌合状態に貫通させる断面角形の貫通孔に形成される。
【００２３】
例えば、丸座４７の中心に形成された軸受孔４９は、丸座４７の一方の円面より延長して回転中心軸３３よりも大径の回転中心軸結合部５４が回転可能に嵌め込まれる有底の操作部軸受孔５６と、操作部軸受孔５６の底面５６ａと丸座の他方の円面とに貫通する貫通孔５７とにより構成される。貫通孔５７は、操作部軸受孔５６の径寸法よりも小さくてかつ回転中心軸３３の径寸法より大きく形成され、回転中心軸３３を回転可能に貫通させる貫通孔である。
例えば、回転中心軸結合部５４の端面５４ａに形成された回転中心軸結合孔５８に回転中心軸３３の一端部を嵌め込んだ状態で回転中心軸結合孔５８と回転中心軸３３とを止ねじ５９等の固定具で結合する。これにより、回転中心軸３３の軸に沿った方向の動きが、回転中心軸結合部５４の端面５４ａと操作部軸受孔５６の底面５６ａとの衝突により阻止され、操作部３１の回転中心軸３３に沿った方向のがたつきを防止している。
【００２４】
尚、扉３を製作する場合は、左端面板１４の所定の位置にケース２４、移動ガイド４６を取付けておき、ラック４５の歯とピニオン４４の歯とを噛み合わせ、かつ、回転中心軸３３を扉３の挿入孔４８とピニオン４４の中心孔５１とケースの貫通孔５２とに貫通させた状態で、扉外面板１１及び扉内面板１２と各端面板１３；１４；１５；１６とを溶接等によって接合することにより製作できる。
【００２５】
また、図５（ｂ）に示すように、溝レール部４６ａの下端にはストッパ６０を設けておき、図５（ａ）に示す操作部３１の非操作位置で可動磁石４２の下端がストッパ６０に接触した状態において、可動磁石４２及び固定磁石４１の異極同士が対向して磁力により扉３と戸当たり面８とに扉３と戸当たり面８とが近づく方向の力（磁力による吸引力）が加わるように設定される。そして、図５（ｂ）に示すように、ラッチボルト２２が係合部２８から外れる方向、即ち、操作部３１が空締まりを解除する方向に最大回転位置まで回転した場合には、可動磁石４２及び固定磁石４１の同極同士が対向した状態に設定されるので、扉３と戸当たり面８とに扉３と戸当たり面８とが離れる方向の力（磁力による反発力）が加わるように設定される。
【００２６】
即ち、実施形態１の開閉装置１においては、図３；図５（ａ）に示すように、ラッチボルト２２が係合部２８に係合していて操作部３１が操作されていない状態においては、固定磁石４１及び可動磁石４２の異極同士が対向して磁力により扉３と戸当たり面８とに扉３と戸当たり面８とが近づく方向の力（吸引力）が加わるので、開閉装置１の気密性及び防音性を向上させるように扉３の閉鎖状態が維持される。
そして、図５（ｂ）に示すように、空締まりを解除する方向に回転できなくなるまで操作部３１が回転操作されてラッチボルト２２が係合部２８より外れて扉３を開くことが可能な状態に設定された場合においては、固定磁石４１及び可動磁石４２の同じ極同士が対向して磁力により扉３と戸当たり面８とに扉３と戸当たり面８とが離れる方向の力（反発力）が加わるので、扉３が開きやすくなる。
【００２７】
この開閉の原理を図６に基づいて説明する。尚、図６においては図５に示す動作を平面的に図示している。図６（ａ）に示すように、操作部３１が操作されておらず、扉３が閉鎖状態の場合には、可動磁石４２が固定磁石４１と吸引し合う位置に移動している。即ち、可動磁石４２及び固定磁石４１の異なる磁極同士が対向するように設定される。この場合、磁石間の吸引力によって扉３の閉鎖状態における気密性が向上する。そして、図６（ｂ）に示すように、操作部３１が空締まりを解除する方向に最大回転位置まで回転した場合には、可動磁石４２が固定磁石４１と反発し合う位置に移動する。即ち、可動磁石４２及び固定磁石４１の同じ磁極同士が対向するように設定される。この場合、磁石間の反発力によって扉３が開きやすくなる。
【００２８】
また、実施形態１においては、固定磁石４１及び可動磁石４２として、Ｓ極とＮ極とが複数個づつ長手方向に交互に並ぶように形成された棒状磁石を用いているので、操作部３１を空締まりを解除する方向に回転させる際に、可動磁石４２及び固定磁石４１の磁極同士が可動磁石４２の移動方向に沿った方向に反発し合うので、操作部３１の回転操作が軽くなる。
【００２９】
実施形態２
扉３及び扉枠２を例えばスチールのような磁性体で形成する場合、可動磁石４２及び固定磁石４１の磁石間に働く磁力が弱まる可能性があるので、この場合は、ネオジウム磁石等の高磁力磁石を用いることが好ましい。扉３及び扉枠２を例えばアルミや木や合成樹脂等で形成した場合には、通常磁力の磁石を用いればよい。
【００３０】
実施形態３
扉３及び扉枠２を例えばスチールのような磁性体で形成する場合において、例えば、図７に示すように、可動磁石４２及び固定磁石４１が設けられる扉３の左側部分７０を磁性体以外の材料により形成してもよい。このようにすれば、可動磁石４２及び固定磁石４１として、高価な磁石を用いる必要がなくなる。また、中空箱体の左側部分７０を形成した後に左側部分７０の内側に扉開時アシスト機構４、ケース２４、回転中心軸３３等を組み付けることができるようになり、組み付け作業を容易にできるようになる。
また、扉３及び扉枠２を例えばスチールのような磁性体で形成する場合において、例えば、図８に示すように、可動磁石４２及び固定磁石４１の磁石間の部分７１のみを磁性体以外の材料により形成してもよい。このように構成した場合でも、高価な磁石を用いる必要がなくなり、また、扉開時アシスト機構４、ケース２４、回転中心軸３３等の組み付け作業も容易にできるようになる。
【００３１】
実施形態４
ラック４５を備えた可動磁石４２及びピニオン４４の代わりに、回転中心軸３３の回転に伴って回転する円板状の可動磁石を備えた構成としても良い。
【００３２】
実施形態５
固定磁石４１として一対のＳ極とＮ極とを備えた磁石を設け、可動磁石４２として一対のＳ極とＮ極とを備えた磁石を設け、可動磁石４２は、操作部３１の扉開閉操作に連動して移動可能に設けられ、扉３が閉鎖状態の場合には固定磁石４１と吸引し合う位置に移動し、扉３を開くことのできる状態においては固定磁石４１と反発し合う位置に移動するように設けられた構成としてもよいよい。この場合も、磁石間の吸引力によって扉３の閉鎖状態における気密性が向上するとともに、扉３を開く際に磁石間の反発力によって扉３を開く方向の力が得られるため、扉３の開動作を容易に行えるようになる。
【００３３】
実施形態６
固定磁石４１としてＳ極又はＮ極に着磁された磁石を１つ設け、可動磁石４２として、操作部３１が空締まりを解除する方向に最大回転位置まで回転した場合に固定磁石４１と向い合うように移動する固定磁石４１と同極の磁石を用いてもよい。この場合も、扉３を開く際に磁石間の反発力によって扉３を開く方向の力が得られるため、扉３の開動作を容易に行える。即ち、可動磁石４２が、操作部３１の扉開閉操作に連動して移動可能に設けられ、扉３を開くことのできる状態において固定磁石４１と反発し合う位置に移動するように設けられた構成とすればよい。
【００３４】
各実施形態１乃至６においては、一般的な蝶番タイプのヒンジ２１を用いた開閉装置１について説明したが、ヒンジ２１としてピボットヒンジを用いた開閉装置１にも同様に本発明を適用できる。尚、ピボットヒンジを用いた場合、扉枠２と扉３との連結構造が若干異なり、この場合、扉３の上及び下の辺縁部における左右何れか一方の辺縁部の近傍と扉枠２の上枠及び下枠それぞれにおける左枠体５ｃ又は右枠体５ｄの一方の近傍とがピボットヒンジを介して連結されることにより、扉３が扉枠２の枠部５に片開き可能に取付けられる。
【００３５】
本発明は、特に扉３を閉鎖した場合に扉３で仕切られた２つの空間に差圧が生じる場所に設置される開閉装置１に適用すれば扉３を開けやすくできるので好ましいが、一般的な室内ドアのような開閉装置１に適用した場合でも扉３を開けやすくできることはいうまでもない。
【符号の説明】
【００３６】
１  開閉装置、２  扉枠、３  扉、２１  ヒンジ、２２  ラッチボルト、
２８  係合部、３１  操作部、４１  固定磁石、４２  可動磁石。
【図１】
2012021296.tif 000003
【図２】
2012021296.tif 000004
【図３】
2012021296.tif 000005
【図４】
2012021296.tif 000006
【図５】
2012021296.tif 000007
【図６】
2012021296.tif 000008
【図７】
2012021296.tif 000009
【図８】
2012021296.tif 000010